(57)【特許請求の範囲】
【請求項１】
遊技球を遊技領域に案内するために遊技盤上に設置された導電素材からなる外側レール及び内側レールの両レールと、
前記両レールのいずれか一方と電気的に接続され、アースを行うアース手段とを備えるパチンコ遊技機であって、
前記両レールは、それぞれ、前記遊技盤に固定されるための導電素材からなる取り付け部を少なくとも１つ備え、
前記両レールは、前記取り付け部が前記遊技盤の表から裏に挿しこまれることによって、当該遊技盤に固定され、
前記両レールのうち少なくとも一方のレールに備えられる前記取り付け部の少なくとも１つは、前記遊技盤の裏面において折り曲げ可能な折り曲げ部を有し、
前記折り曲げ部は、前記遊技盤の裏面において折り曲げられて、前記他方のレールの前記取り付け部に接触することにより当該取り付け部と電気的に接続される、パチンコ遊技機。
【請求項２】
遊技球を遊技領域に案内するために遊技盤上に設置された導電素材からなる外側レール及び内側レールの両レールと、
前記両レールのいずれか一方と電気的に接続され、アースを行うアース手段とを備えるパチンコ遊技機であって、
前記両レールは、それぞれ、前記遊技盤に固定されるための導電素材からなる取り付け部を少なくとも１つ備え、
前記両レールは、前記取り付け部が前記遊技盤の表から裏に挿しこまれることによって、当該遊技盤に固定され、
前記遊技盤の裏面に、固定部と接触部からなる導電性の接続部材を少なくとも１つ備え、
前記固定部は、前記遊技盤の裏面に固定され、
前記接触部は、前記外側レールの取り付け部と、前記内側レールの取り付け部と接触することにより前記遊技盤の裏面において当該外側レールの取り付け部と当該内側レールの取り付け部とを電気的に接続する、パチンコ遊技機。
【発明の詳細な説明】
【技術分野】
【０００１】
本発明は、アース構造を有するパチンコ遊技機に関する。
【背景技術】
【０００２】
パチンコ遊技機においては、一般に、遊技球が移動経路を通過する過程で摩擦により遊技球及び遊技盤面に静電気が帯電されやすい。この静電気が、パチンコ遊技機の電子基板近傍で放電されると電子制御の誤作動等が生じやすい。そのため、この静電気を除去する手段として、従来のパチンコ遊技機にはアース構造が設けられている。（例えば、特許文献１参照）。
【先行技術文献】
【特許文献】
【０００３】
【特許文献１】特開２００４−１０５５０７号公報
【発明の概要】
【発明が解決しようとする課題】
【０００４】
ところで、特許文献１に記載されているようなパチンコ遊技機のアース構造において、アース線は、遊技盤内の遊技球の案内レールである内側レール又は外側レールのいずれかに電気的に接続されている。そのため、遊技盤内の装飾物から静電気を除去するために、当該装飾物は、いずれか一方の案内レールに電気的に接続されるように設置、もしくはメッキ処理等施さなければならないという設計上の制約があった。
【０００５】
また、この設計上の制約を最小にするために、例えば、外側レール、内側レールのいずれの案内レールからもアース線を誘導することが考えられる。しかし、この場合には、両案内レール用に複数のアース用接続部材を設けなければならず、また、この複数のアース用接続部材からアース線を誘導して放電対象に接続しなければならず、施工の手間が余計にかかるという課題があった。
【０００６】
一方、上記した課題を解決するために、外側レールと内側レールを電気的に接続することにより、外側レール又は内側レールのいずれか一方のみからアース線を誘導するということが考えられる。しかしながら、この場合には、外側レールと内側レールを電気的に接続するための導電部材を別途用意して、この導電部材と案内レールとを電気的に接続するためのはんだ接続等の別の施工（作業負荷のかかる工程）が必要であった。このため製造コストが大きく増加していた。さらに、導電部材をどこに取り付けるかという設計上の問題もあった。
【０００７】
それ故に、本発明の主たる目的は、パチンコ遊技機の装飾物の設置に関わる設計上の制約を最小限にしながらも、遊技盤面上の静電気を除去することができ、かつ、製造コストの増加を抑制した簡易なアース構造を有するパチンコ遊技機を提供することである。
【課題を解決するための手段】
【０００８】
本発明は、上記の課題を解決するために、以下の構成を採用した。なお、本欄における括弧内の参照符号や補足説明等は、本発明の理解を助けるために後述する実施形態との対応関係を示したものであって、本発明を何ら限定するものではない。
【０００９】
本実施形態に係るパチンコ遊技機（１）は、遊技球を遊技領域（２０）に案内するために遊技盤（２）上に設置された導電素材からなる外側レール（２１）及び内側レール（２２）の両レールと、前記両レールのいずれか一方と電気的に接続され、アースを行うアース手段（３４）とを備えるパチンコ遊技機（１）であって、前記両レールは、それぞれ、前記遊技盤（２）に固定されるための導電素材からなる取り付け部（３２）を少なくとも１つ備え、前記両レールは、前記取り付け部（３２）が前記遊技盤（２）の表から裏に挿し込まれることによって、当該遊技盤（２）に固定され、前記両レールのうち一方のレールに備えられる前記取り付け部（３２）の少なくとも１つは、前記遊技盤（２）の裏面において、当該両レールのうち他方のレールに備えられる前記取り付け部（３２）と電気的に接続される。
【００１０】
また、前記両レールのうち少なくとも一方のレールに備えられる前記取り付け部（３２）の少なくとも１つは、前記遊技盤（２）の裏面において折り曲げ可能な折り曲げ部を有し、前記折り曲げ部は、前記遊技盤（２）の裏面において折り曲げられて、前記他方のレールの前記取り付け部（３２）に接触してもよい。
【００１１】
また、前記外側レール（２１）の前記取り付け部（３２）の少なくとも１つと前記内側レール（２２）の前記取り付け部（３２）の少なくとも１つは、それぞれ前記折り曲げ部を有し、それぞれの前記折り曲げ部は、前記遊技盤（２）の裏面において互いに折り曲げられて接触してもよい。
【００１２】
また、前記外側レール（２１）の前記取り付け部（３２）の１つの取り付け位置と前記内側レール（２２）の前記取り付け部（３２）の１つの取り付け位置とは、両取り付け位置の間隔が、前記両レールによって区画される案内通路（４）の幅に略一致するように、配置されてもよい。
【００１３】
また、前記両レールのうち一方のレールの前記折り曲げ部の長さは、前記他方のレールの前記取り付け部（３２）の１つに接触可能な長さであってもよい。
【００１４】
また、前記両レールに取り付けられる前記取り付け部（３２）は、同一の導電素材によって、それぞれのレールと一体的に形成されていてもよい。
【００１５】
また、パチンコ遊技機（１）は、前記遊技盤（２）の裏面に、固定部（４１）と接触部（４２）からなる導電性の接続部材（４０）を少なくとも１つ備え、前記固定部（４１）は、前記遊技盤（２）の裏面に固定され、前記接触部（４２）は、前記外側レール（２１）の取り付け部（３２）と、前記内側レール（２２）の取り付け部（３２）と接触してもよい。
【００１６】
また、前記接触部（４２）は、弾性を有し、前記取り付け部（３２）と突き当たることによって変形し、その弾性力によって当該取り付け部（３２）に押しつけられて固着してもよい。
【発明の効果】
【００１７】
本発明によれば、パチンコ遊技機の装飾物の設置に関わる設計上の制約を最小限にしながらも、遊技盤面上の静電気を除去することができ、かつ、製造コストの増加を抑制した簡易なアース構造を有するパチンコ遊技機を提供することができる。
【図面の簡単な説明】
【００１８】
【図１】パチンコ遊技機１の一例を示す概略正面図
【図２】遊技盤２の一例を示す概略正面図
【図３】外側レール２１、内側レール２２の一例を示す概略図
【図４】遊技盤２の一例を示す概略裏面図
【図５】外側レール２１、内側レール２２の取り付け方法の一例を説明するための説明図
【図６】アース構造の一例を示すための遊技盤２の概略裏面図
【図７】遊技盤２の一例を示す概略裏面図
【図８】外側レール２１、内側レール２２の取り付け方法の一例を説明するための説明図
【図９】遊技盤２の一例を示す概略裏面図
【図１０】外側レール２１、内側レール２２の取り付け方法の変形例を説明するための説明図
【図１１】接続部材４０の一例を示す概略図
【図１２】接続部材４０の取り付け方法の一例を説明するための説明図
【図１３】接続部材４０の変形例を示す概略図
【図１４】接続部材４０の変形例を示す概略図
【発明を実施するための形態】
【００１９】
［パチンコ遊技機１の概略構成］
まず、パチンコ遊技機１の概略構成について説明する。図１は、パチンコ遊技機１の概略正面図である。図１に示されるように、パチンコ遊技機１は、遊技球が打ち出される遊技盤２と、遊技盤２を囲む枠部材３とを備えている。枠部材３は、遊技盤２の表面側（図１の紙面手前側）に遊技盤２と所定の間隔を隔てて平行に設置された透明なガラス板（不図示）を支持する部材であり、遊技盤２に対して蝶番（不図示）を介して開閉可能に構成されると共に、遊技盤２に対して着脱可能に構成されている。
【００２０】
枠部材３に支持されたガラス板と遊技盤２との間には、遊技球が移動する遊技領域２０が形成されている。遊技盤２上には、遊技球を遊技領域２０に案内するための案内レールの構成要素である各々略円弧線状の外側レール２１と内側レール２２とが設置されている。（後述する図２に示される遊技盤２も参照）前述した遊技領域２０は、この外側レール２１と内側レール２２とで囲まれた領域によって画定されている。また、遊技盤２の左部に位置する外側レール２１の一部と、同じく遊技盤２の左部に位置する内側レール２２の一部との間に、発射装置（図示せず）により発射された遊技球を遊技領域２０へと案内する案内通路４が形成されている。
【００２１】
遊技者がハンドル５を握って時計回りに回転させると、ハンドル５の回転角度に応じた打球力で不図示の発射装置から遊技球が発射される。遊技球は、前述の案内通路４を通過することによって遊技領域２０の上部位置へ案内される。遊技球は、遊技領域２０に設置された不図示の遊技クギや風車等に接触することでその移動方向を変化させながら、遊技盤２の表面に沿って落下する。
【００２２】
遊技領域２０には、入賞や抽選に関する役物として、第１始動口２３、第２始動口２４、大入賞口２５、普通入賞口２６、及びゲート２７が設けられている。パチンコ遊技機１では、第１始動口２３又は第２始動口２４に遊技球が入賞することで、大当たり抽選が実行される。また、遊技領域２０における大入賞口２５の下方には、始動口２３，２４、又は入賞口２５，２６のいずれにも入らなかった遊技球を遊技領域２０の外へ排出するための排出口２８が設けられている。
【００２３】
遊技盤２の中央部には、演出のための各種の画像を表示する画像表示装置２９が設けられている。画像表示装置２９は、遊技者による遊技の進行に応じて、例えば、装飾図柄を表示することによって大当たり抽選の結果を遊技者に報知したり、キャラクタの登場やアイテムの出現による予告演出を表示したりする。
【００２４】
［遊技盤２の概略構成］
次に、遊技盤２の概略構成について説明する。図２は、遊技盤２の概略正面図である。図２に示されるように、遊技盤２は、所定の厚さを有するベニア板６の表面上に、不図示の障害釘が植え付けられており、また、各種入賞口や所定の高さを有する外側レール２１及び内側レール２２が設置されている。外側レール２１は、遊技盤２の左下部から右上部に略円弧状に設置され、内側レール２２は、外側レール２１の内側面から所定の隙間を空けて、遊技盤２の左上部から右上部に略円弧状に設置されている。このことにより、遊技盤２の略中央には、外側レール２１及び内側レール２２によって略円形状の遊技領域２０が区画される。また、内側レール２２の中央下部には排出口２８が設けられているため、いずれの入賞口にも入賞しなかった遊技球は内側レール２２に沿って排出口２８へと流下する。
【００２５】
また、遊技盤２の左上部には、遊技領域２０に案内されてきた遊技球が案内通路４側に戻るのを防止するための球戻り防止装置３０が、内側レール２２の左上端部に設置されている。また、遊技盤２の右上部には、強い発射力によって遊技領域２０に案内されてきた遊技球を跳ね返すための弾性部材３１が、内側レール２２の右上端部と外側レール２１の右上端部との間の隙間を埋めるように設置されている。
【００２６】
［案内レールの概略構成］
次に、外側レール２１及び内側レール２２の概略構成について説明する。なお、以下の説明において外側レール２１及び内側レール２２を区別する必要が無い場合には、案内レール２１，２２と呼ぶことにする。
【００２７】
図３は、遊技盤２上に設置される案内レール２１，２２の概略構成例を示す図である。図３に示されるように、案内レール２１，２２は所定の厚みを有して帯状（直線状）に成形された導電性の素材（鉄等）からなる。当該導電素材からなる案内レール２１，２２は、変形可能であるため遊技盤２上に設置される際に略円弧状に成形される。
【００２８】
また、図３に示されるように、この案内レール２１，２２の長手方向に垂直な一端部近傍には、所定の間隔を空けて所定数の取り付けピン３２が設けられている。これらの取り付けピン３２は、案内レール２１，２２を遊技盤２に固定するためのものであり、遊技盤２の遊技領域２０を囲む所定の位置に挿し込まれるように、その先端は先鋭形状となっている。この取り付けピン３２が、この所定の位置に挿し込まれ固定されることにより、案内レール２１，２２は、遊技盤２に対して概垂直に固定される。なお、本実施形態においては、取り付けピン３２は、案内レール２１，２２の一部であり、案内レール２１，２２と同一の導電素材によって成形されている。
【００２９】
［案内レール２１，２２の取り付け方法］
次に、案内レール２１，２２を遊技盤２に取り付ける方法について説明する。図４は、遊技盤２の概略裏面図である。図４において、本発明と直接関係のない構成（画像表示装置２９等）の図示を省略している。遊技盤２の裏面には、遊技盤２の表面に設置された略円弧状の案内レール２１，２２の所定の個所から挿し込まれた取り付けピン３２が突出する。案内レール２１，２２は、この挿し込まれた取り付けピン３２によって遊技盤２に固定される。さらに、図４に示されるように、取り付けピンは所定の方向に折り曲げられることによって、より強固に遊技盤２の裏面に固定（固着）される。なお、この固定の方法は、圧着やかしめ等、任意の方法であってよい。
【００３０】
また、図４に示されるように、遊技盤２の裏面には右下方に略四角形の金属プレート３３が設置されている。この金属プレート３３は、後述するパチンコ遊技機１のアース構造を構成する一部であり、外側レール２１の取り付けピン３２の１つが当該金属プレート３３上において固定されている。このことにより、外側レール２１の取り付けピン３２と金属プレート３３は電気的に接続され、結果として、外側レール２１と金属プレート３３も電気的に接続されている。
【００３１】
図５は、図４に示される直線Ａ−Ｂにおける断面図であり、すなわち、内側レール２２の取り付けピン３２の１つを、このピンの長手方向に沿って切断した断面図である。この断面図は、案内レール２１，２２を遊技盤２に固定する際の取り付けピン３２の施工方法を模式的に表わしている。なお、図５において、ベニア板６の上面が遊技盤２の裏面に相当し、ベニア板６の下面が遊技盤２の表面に相当する。
【００３２】
図５（１）に示されるように、取り付けピン３２は、先端部の先鋭形状を利用して、遊技盤２に挿し込まれて、内側レール２２が遊技盤２に対して略垂直に固定される。その後、図５（２）に示されるように、取り付けピン３２は、内側レール２２の短手方向に対して略垂直に折り曲げられることによって、より強固に遊技盤２の裏面に固定（固着）される。なお、図４及び図５（２）に例示される取り付けピン３２は、略円弧状の案内レール２１，２２の中心（内側）に向けて、案内レール２１，２２の長手方向と略垂直に折り曲げられているが、その折り曲げの方向はこれには限られない。また、案内レール２１，２２に設けられた取り付けピン３２のそれぞれが、異なる方向に折り曲げられていてもよい。
【００３３】
また、図５（２）に示される、取り付けピン３２がベニア板６の上面（遊技盤２の裏面）において折り曲げられた際の取り付けピン３２の折り曲げの支点から先端まで（折り曲げ部）の長さＬは、図４に示される、外側レール２１と内側レール２２の所定の隙間の長さ（案内通路４の幅）ａの半分の長さよりも長くなるように設計されている。後述するが、このことにより、外側レール２１の取り付けピン３２の１つと、内側レールの取り付けピン３２の１つが互いに接触可能となる。
【００３４】
［アース構造の概略構成］
次に、パチンコ遊技機１のアース構造について説明する。図６は、パチンコ遊技機１のアース構造について説明するための図であり、図４に示される遊技盤２の裏面図の右下部を拡大した図である。
【００３５】
図６に示されるように、パチンコ遊技機１には、遊技盤２の裏面に金属プレート３３が固定されている。この金属プレート３３には、導電性の金属線束を合成樹脂性の絶縁素材で被覆したアース線３４が電気的に接続されている。具体的には、アース線３４の金属線束の一端には、リング状の導電性の帯電側取り付け金具３５が圧着又はかしめ接続によって取り付けられており、この帯電側取り付け金具３５が金属プレートに取り付けられることによって、アース線３４は、金属プレート３３に電気的に接続されている。
【００３６】
同様に、アース線３４の金属線束の他端には、リング状の導電性の放電側取り付け金具３６が取り付けられており、この放電側取り付け金具３６が、誘導した静電気を放電する所定の箇所に取り付けられる。この所定の箇所は、例えば、遊技機本体のヒンジ部や多数の遊技機を設置する島設備の遊技機取り付け枠であり、アース（接地）されている。なお、図６に示されるアース線３４の長さは、例示にすぎず、放電側取り付け金具３６の取り付け箇所に応じて、その長さが適宜変更されることは言うまでもない。
【００３７】
また、上述したように、金属プレート３３は、外側レール２１の取り付けピン３２の１つと電気的に接続されているため、結果として外側レール２１は、アース線３４と電気的に接続されている。このことにより、パチンコ遊技機１において、外側レール２１に静電気が発生した場合には、この静電気は、アース線３４の帯電側取り付け金具３５からアース線３４を通って放電側取り付け金具３６へ誘導される。そして、所定の箇所にて放電されて、帯電した静電気が除去される。
【００３８】
［本実施形態における特徴的な案内レールの取り付け形態］
次に、本実施形態における特徴的な案内レール２１，２２の取り付け形態について説明する。図７は、遊技盤２の概略裏面図である。図７に示されるように、案内通路４を形成する外側レール２１と内側レール２２の所定の箇所において、外側レールの取り付けピン３２の１つ（取り付けピン３２ｄ）の取り付け位置と、内側レール２２の取り付けピン３２の１つ（取り付けピン３２ｃ）の取り付け位置は、両者間の距離が最短になる位置に設定されている（すなわち、両者間の距離は案内通路４の幅を示す距離に該当する）。
【００３９】
図８は、図７に示される取り付けピン３２ｃと取り付けピン３２ｄの取り付け位置を結ぶ直線Ｃ−Ｄにおける断面図であり、案内レール２１，２２を遊技盤２に固定する際の取り付けピン３２の施工方法を模式的に表わしたものである。図８において、ベニア板６の上面が遊技盤２の裏面に相当し、その下面が遊技盤２の表面に相当する。
【００４０】
図８（１）に示されるように、先端部が先鋭形状である外側レール２１の取り付けピン３２ｄと、内側レール２２の取り付けピン３２ｃは、各々遊技盤２に挿し込まれて固定される。そして、図８（２）に示されるように、外側レール２１の取り付けピン３２ｄは、内側レール２２の取り付けピン３２ｃが位置する方向に向けて、外側レール２１の短手方向に対して略垂直に折り曲げられる。また、内側レール２２の取り付けピン３２ｃは、外側レール２１の取り付けピン３２ｄが位置する方向に向けて、内側レール２２の短手方向に対して略垂直に折り曲げられる。このことにより、外側レール２１の取り付けピン３２ｄと、内側レール２２の取り付けピン３２ｃは、Ｃ−Ｄ線に沿って一直線上に位置する。また、それぞれの取り付けピン３２の折り曲げの支点から先端まで（折り曲げ部）の長さＬは、案内通路４の幅ａの半分の長さよりも長いため、その先端の一部が互いに接触する。この結果として、導電素材からなる取り付けピン３２は、互いに電気的に接続され、取り付けピン３２と同一の導電素材からなる外側レール２１と内側レール２２も同様に電気的に接続される。なお、取り付けピン３２同士の接触を強固にするためには、接触箇所をかしめる等の処理を行えばよい。
【００４１】
［本実施形態の効果］
上記のように、本実施形態によれば、従来から案内レール２１，２２を遊技盤２に固定する際に用いられていた導電素材の取り付けピン３２を、遊技盤２に固定する際に、外側レール２１の取り付けピン３２の１つと内側レール２２の取り付けピン３２の１つとが接触するように取り付けることができる。このことにより、特別な作業負荷のかかる工程を追加することなく、また、別途、他の接続用の導電部材を用いることもなく、簡便かつ安価に外側レール２１と内側レール２２を電気的に接続することができる。したがって、外側レール２１、内側レール２２のいずれか一方からアース線３４を誘導するだけで、外側レール２１、内側レール２２のいずれもアース電位に落とすことが可能となる。その結果、遊技盤２上の装飾物は、外側レール２１と内側レール２２のいずれか一方に電気的に接続（メッキ処理等）すればよく、片方のレールに偏って設置しなければならないという当該装飾物の設計上の制約が解消される。
【００４２】
［変形例１］
なお、上記実施形態においては、案内レール２１，２２における取り付けピン３２の取り付け位置は、外側レール２１の取り付けピン３２の１つと内側レール２２の取り付けピン３２の１つの取り付け位置との間の距離が最短になるように、決定されているものとした。しかし、このような実施形態に限らず、例えば、一方のレールの取り付けピン３２の１つが、他の取り付けピン３２よりも長く成形されており、その結果として、他方のレールの取り付けピン３２と接触可能にしてもよい。具体的には、図９に例示されるように、内側レール２２の取り付けピン３２の１つ（取り付けピン３２ｅ）は、他の取り付けピン３２よりも長く設計されている。図９において、この内側レール２２の取り付けピン３２ｅと、当該取り付けピン３２ｅに最も近い位置にある外側レール２１の取り付けピン３２（取り付けピン３２ｆ）の取り付け位置とを結ぶ直線Ｅ−Ｆが示されている。図１０は、この直線Ｅ−Ｆにおける断面図である。図１０（１）に示されるように、先端部が先鋭形状である外側レール２１の取り付けピン３２ｆと、内側レール２２の取り付けピン３２ｅは、各々遊技盤２に挿し込まれて固定される。この際、内側レール２２の取り付けピン３２ｅは、他の取り付けピン３２（例えば取り付けピン３２ｆ）よりも長く設計されている。このため、上記実施形態で説明したように、取り付けピン３２ｅを内側レール２２の長手方向と略垂直になる（すなわち、外側レール２１との距離が最短になる）方向に向けて折り曲げるのではなく、図１０（２）に示されるように、外側レール２１の取り付けピン３２ｆの取り付け位置に向かって折り曲げることによっても、取り付けピン３２同士を接触させることが可能となる。
【００４３】
上記によれば、案内レール２１，２２が遊技盤２上に略円弧状に設置された際に、外側レール２１の取り付けピン３２と内側レールの取り付けピン３２のうち少なくとも１対が接することができるように、取り付けピン３２の取り付け位置を考慮して配置する（例えば、１対の取り付けピン３２の取り付け位置が最短距離になるように取り付け位置を配置する）必要がない。一方のレールの所定の取り付け位置にある取り付けピン３２は、その長さが通常の長さよりも長く設計されているので、従来の取り付け位置のままであっても他方のレールの取り付けピン３２の１つ（少なくとも最も近い位置にある取り付けピン）と接触することができる。このことによっても、簡便に外側レール２１と内側レール２２とを電気的に接続させることが可能となる。
【００４４】
また、変形例１において一方のレールの取り付けピン３２の１つが他の取り付けピン３２よりも長いとしたが、当該レールの取り付けピン３２と接触する対象の他のレールの取り付けピン３２も同様に長いものとしてもよい。この場合、両者の取り付けピン３２の長さは、他の取り付けピン３２よりも長くなるが、その長さの増分は、一方の取り付けピン３２が長いだけのときよりも少なくて済む。
【００４５】
［変形例２］
本実施形態及び変形例１においては、外側レール２１及び内側レール２２におけるそれぞれの取り付けピン３２が互いに折り曲げられることによって、両取り付けピン３２が互いに接触し、この結果、外側レール２１と内側レール２２が互いに電気的に接続されるものとした。しかし、これに代え、取り付けピン３２は折り曲げられることなく、導電性の接続部材４０によって外側レール２１の取り付けピン３２の１つと内側レール２２の取り付けピン３２の１つが互いに電気的に接続されるものとしてもよい。以下に、簡易な施工によって取り付け可能な接続部材４０について説明する。
【００４６】
図１１は、接続部材４０について説明するための図であり、図１１（１）は、遊技盤２の裏面に取り付けられた接続部材４０を示し、図１１（２）は、接続部材４０の拡大図を示し、図１１（３）は、図１１（２）における直線Ｇ−Ｇ'の断面を示す。
【００４７】
図１１（１）に示されるように、接続部材４０は遊技盤２の裏面に取り付けられる。変形例２では、案内通路４を形成する外側レール２１と内側レール２２の所定の箇所において、外側レール２１の取り付けピン３２の１つ（取り付けピン３２ｈ）の取り付け位置と、内側レール２２の取り付けピン３２の１つ（取り付けピン３２ｇ）の取り付け位置は、両者間の距離が最短になる位置に設定されている。このとき、接続部材４０は、遊技盤２の裏面において、取り付けピン３２ｈと取り付けピン３２ｇの両方に接触するように取り付けられる。なお、接続部材４０が取り付けピン３２ｈと取り付けピン３２ｇの両方に接触すれば、取り付けピン３２ｈと取り付けピン３２ｇの取り付け位置はこの位置に限られるものではない。
【００４８】
次に、接続部材４０の構成について図１１（２）を参照しつつ説明する。接続部材４０は、導電性を有し、かつ、力が加わることによって変形することが可能であり、変形すると元に戻ろうとする性質（弾性）を有する素材から成る。図１１（２）に示されるように、接続部材４０は、遊技盤２（ベニア板６）に固定されるための固定部４１と、力が加わることによって変形可能な接触部４２から成る。固定部４１は、後述する留め具４４によって遊技盤２（ベニア板６）に固定されるための開口部４３を有する。この開口部４３が留め具４４にはめ込まれることによって、固定部４１は、遊技盤２の裏面であって案内通路４の裏側にあたる領域内に固定される。接触部４２は、この固定部４１の両端部から案内通路４の裏側にあたる領域外へ延びるように配置される。そして、この接触部４２と固定部４１を含めた接続部材４０の案内通路４の幅方向の長さは、案内通路４の幅よりも長い。このため、接続部材４０（の接触部４２）は遊技盤２の裏面において、取り付けピン３２ｈ，３２ｇに接触する（図１１（３）参照）。また、留め具４４は、略円形状の形状を有し、遊技盤２の裏面であって案内通路４の裏側にあたる領域内に、接続部材４０の開口部４３がはめ込まれるように配置されている。また、留め具４４は、例えば樹脂製の素材で形成されており力が加わることによって変形可能である。開口部４３は、略円形の形状を有し、その直径の最大値が留め具４４の直径の最小値よりもやや小さくなるように、形成されている。そのため、開口部４３を留め具４４にはめ込むと、留め具４４は、元の形から小さく変形し、開口部４３がはめ込まれた後は元に戻ろうとする力によって開口部４３に押しつけられる。このことにより、開口部４３は留め具４４に固着され、固定部４１は遊技盤２（ベニア板６）に固定される。なお、接続部材４０は、留め具４４によらず、例えば釘やねじ等で遊技盤の裏から固定されるものとしてもよい。
【００４９】
次に、接続部材４０の取り付け方法について図１２（１）を参照しつつ説明する。図１２（１）は、図１１（２）における直線Ｇ−Ｇ'断面であり、接続部材４０を遊技盤２に取り付ける方法を説明するための図である。図１２（１）の上段に示されるように、接続部材４０は、開口部４３が留め具４４にはめ込まれることによって、遊技盤２に固定されている。このとき、接触部４２と固定部４１を含めた接続部材４０の案内通路４の幅方向の長さは、案内通路４の幅よりも長く、それぞれの接触部４２は、遊技盤２の裏側であって、案内通路４の裏側にあたる領域内から領域外へ延びるように形成されている。そのため、取り付けピン３２ｇが遊技盤２（ベニア板６）に挿し込まれると、取り付けピン３２ｇと接触部４２が接触し、取り付けピン３２ｇが挿し込まれる力によって、接触部４２は変形し（図１２（１）中段参照）、さらに接触部４２は、元に戻ろうとする力によって、取り付けピン３２ｇの方に押しつけられる（図１２（１）下段参照）。このことにより、取り付けピン３２ｇと接触部４２（接続部材４０）は、強固に接触される。なお、取り付けピン３２ｈも同様にして遊技盤２に挿し込まれる。
【００５０】
なお、上記では、接続部材４０が固定された遊技盤２に対して、取り付けピン３２ｇ，３２ｈが挿しこまれるものとした。しかし、これに代え、取り付けピン３２ｇ，３２ｈが挿し込まれた遊技盤２に対して、接続部材４０が取り付けられるものとしてもよい（図１２（２）参照）。この場合、接続部材４０の開口部４３を留め具４４にはめ込もうとすると、接触部４２が取り付けピン３２ｇ，３２ｈに接触し、さらに押し込めると接触部は変形する（図１２（２）中段参照）。さらに、接続部材４０が遊技盤２に固定されても接触部４２は、元に戻ろうとする力によって、取り付けピン３２ｇ，２２ｈの方に押しつけられる（図１２（２）下段参照）。このことにより、取り付けピン３２ｇ，３２ｈと接触部４２（接続部材４０）は、強固に接触される。
【００５１】
以上のように、上記した接続部材４０によれば、外側レール２１と内側レール２２を電気的に接続するために、はんだ付けやかしめ等の作業負荷のかかる工程を経ることなく、簡便な方法により、外側レール２１と内側レール２２を電気的に接続することが可能となる。また、接続部材４０は、取り付けピン３２が突出する遊技盤２の裏面に配置されるので設計上の問題も少ない。さらに、接続部材４０は留め具４４によって遊技盤２に固定されているので、着脱可能であり、接続部材４０の老朽化が起きた場合には、この部分だけを交換すればよい。
【００５２】
なお、接続部材４０の形状は、上記した形状に限られるものではなく、遊技盤２に固定される固定部４１と、取り付けピン３２と接触する接触部４２を備えていればよく、例えば図１３に示される形状であってもよい。この場合、接触部４２を挟むように案内通路４の幅方向にも固定部４１が設けられるので、接続部材４０は、より強固に遊技盤２（ベニア板６）に固定される。
【００５３】
［その他の変形例］
なお、上記実施形態において、取り付けピン３２と案内レール２１，２２は同一の導電素材からなり、一体として形成されているものとした。しかし、これに限らず、取り付けピン３２と、案内レール２１，２２とは、それぞれ別々の導電素材からなり、所定の施工（たとえばはんだ付け等）によって、取り付けピン３２が案内レールに取り付けられるものとしてもよい。この場合、外側レール２１の取り付けピン３２の１つの取り付け位置と内側レール２２の取り付けピン３２の１つの取り付け位置との間の距離を最短にする調整が行いやすくなる。
【００５４】
また、上記実施形態において、取り付けピン３２が折り曲げられる場合、外側レール２１の取り付けピン３２の１つと内側レール２２の取り付けピン３２の１つが互いに折り曲げられて接触するものとした。しかし、いずれか一方のレールの取り付けピン３２の１つが折り曲げられて他方の折り曲げられていない取り付けピン３２に接触するものとしてもよい。
【００５５】
また、上記実施形態において、取り付けピン３２が折り曲げられる場合、外側レール２１の取り付けピン３２と、内側レール２２の取り付けピン３２は、遊技盤２の裏面において互いに折り曲げられて（かしめ処理等により）接触するものとした。しかし、これに加えて、接触箇所において、さらにはんだ処理等を施すことによって、より強固に電気的に接続されることを保証してもよい。
【００５６】
また、上記実施形態において、案内通路４を形成する外側レール２１と内側レール２２の所定の箇所において、外側レールの取り付けピン３２の１つの取り付け位置と、内側レール２２の取り付けピン３２の１つの取り付け位置は、両者間の距離が最短になる位置に設定されているものとしたがこれに限られるものではない。例えば、取り付けピン３２が折り曲げられる場合には、両レールにおける取り付けピン３２の取り付け位置は、両レールの少なくとも１対の取り付けピン３２が互いに接触可能な距離である位置に設定されればよく、取り付けピン３２の折り曲げ支点から先端まで（折り曲げ部）の長さに応じて、設定されればよい。また、接続部材４０が用いられる場合には、両レールにおける取り付けピン３２の取り付け位置は、両レールそれぞれの取り付けピン３２の１つが当該接続部材４０に接触可能な位置に設定されればよい。
【００５７】
また、上記実施形態において、取り付けピン３２が折り曲げられる場合、外側レール２１と内側レール２２のうち案内通路４を形成する箇所において、それぞれの取り付けピン３２が互いに接触するものとした。これは、案内通路４は、外側レール２１と内側レール２２が近接している箇所であるため、取り付けピン３２の取り付け位置間の距離が近接しやすいという点で好ましいからである。しかしながら、これに限られるものではなく、取り付けピン３２が互いに接触できるものであれば、どの取り付け個所において接触されてもよい。
【００５８】
また、上記実施形態では、取り付けピン３２の先端は先鋭形状となっており、このことにより遊技盤２に挿し込まれるものとした。しかし、取り付けピン３２が折り曲げられる場合には、取り付けピン３２の先端は先鋭形状となっておらず、遊技盤の所定の位置に挿し込まれる用の穴が設けられており、これを用いて挿し込まれ、折り曲げられることによって遊技盤２に固定されるものとしてもよい。
【００５９】
また、上記実施形態では、取り付けピン３２が折り曲げられる場合、外側レール２１の取り付けピン３２の１つと、内側レール２２の取り付けピン３２の１つが、互いに接触するものとした。しかし、外側レール２１の複数の取り付けピン３２と内側レール２２の複数の取り付けピン３２同士が互いに接触するものとしてもよい。このことにより、１対の取り付けピン３２の接触の場合よりも、取り付けピン３２の電気的な接続が保証され、外側レール２１と内側レール２２がより強固に電気的に接続されることが保証される。なお、同様に、接続部材４０が用いられる場合も、接続部材４０は、一方のレールの複数の取り付けピン３２と接触されるようにしてもよい。
【００６０】
また、上記実施形態では、案内レール２１，２２を遊技盤２に固定するために、案内レール２１，２２には取り付けピン３２が設けられているものとした。しかし、案内レール２１，２２を遊技盤２に固定するために案内レール２１，２２に設けられる取り付け部材は、ピンに限られるものではない。例えば、所定の厚みと幅を有する刃型の変形可能な導電性の取り付け部材であってもよい。この場合、この導電性の取り付け部材は、案内レール２１，２２を遊技盤２に固定するために、刃型の形状を利用して遊技盤２に挿し込まれ、所定の方向に折り曲げられることによって、外側レール２１の導電性の取り付け部材の少なくとも１つと内側レール２２の導電性の取り付け部材の少なくとも１つが接触することによって、外側レール２１と内側レール２２が電気的に接続される。なお、この場合において接続部材４０を用いて外側レール２１の取り付け部材の１つと内側レール２２の取り付け部材の１つを接触させてもよい。
【００６１】
また、上記実施形態において、接続部材４０は、遊技盤２の裏面に固定されて、外側レール２１の取り付けピン３２の１つと、内側レール２２の取り付けピン３２の１つと接触するものとした。しかし、接続部材４０は、遊技盤２には固定されずに、両取り付けピン３２と接触するものであってもよい。例えば、図１４に示されるように、導電性の接続部材４０は、その両端に鋏形状の端部を有しており、この端部が両取り付けピン３２を挟み込むことにより、両取り付けピン３２を電気的に接続するものとしてもよい。
【００６２】
また、上記実施形態において説明した帯電側取り付け金具３５は、取り付けピン３２の上から取り付けられても良い。この場合、金属プレート３３、取り付けピン３２、帯電側取り付け金具３５が一体となって取り付けられるので、簡便な施工により、外側レール２１をアース線３４に電気的に接続することができる。
【００６３】
また、上記実施形態において、アース線３４の一端に接続された帯電側取り付け金具３５、およびアース線３４の他端に接続された放電側取り付け金具３６は、リング状端子であり、それぞれアース線の両端に圧着又はかしめ接続させているものとした。しかし、これら取り付け金具は、他のタイプの取り付け端子であってもよい。
【００６４】
また、上記実施形態において、金属プレート３３は、遊技盤２の裏面において、外側レール２１の取り付けピン３２と接するものとした。しかし、これに限らず、金属プレート３３は、外側レール２１又は内側レール２２のいずれか、あるいは、それらの取り付けピン３２の少なくとも１つと接触していれば、どこに取り付けられていても良い。また、パチンコ遊技機１は、金属プレート３３を備えていなくてもよい。この場合、帯電側取り付け金具３５は、直接、外側レール２１又は内側レール２２のいずれか、あるいは、それらの取り付けピン３２の少なくとも１つに接続されていればよい。
【００６５】
［作用効果のまとめ］
上記した実施形態では、導電素材からなる外側レール（２１）及び内側レール（２２）の両レールは、それぞれ、導電素材からなる取り付け部（３２）を少なくとも１つ備え、両レールのうち一方のレールに備えられる取り付け部（３２）の少なくとも１つは、遊技盤（２）の裏面において、当該両レールのうち他方のレールに備えられる取り付け部（３２）と電気的に接続される。
【００６６】
これによれば、導電性の外側レールの取り付け部（取り付けピン）と導電性の内側レールの取り付け部（取り付けピン）とが互いに接触しているため、導電性の外側レールと内側レールとが電気的に接続される。また、外側レールと内側レールのいずれか一方がアース手段（アース線）に接続されることにより、外側レールと内側レールのいずれもがアース電位に落とされる。したがって、遊技球が外側レール又は内側レールに接触することによって、遊技球に帯電した静電気は除去される。また、遊技盤に設置される装飾物に帯電した静電気を除去するためには、装飾物を外側レール又は内側レールのいずれかに電気的に接続（メッキ処理等）することにより、当該装飾物をアース電位に落とせばよい。このため、装飾物をいずれか一方のレールに寄せて設置するといった設計上の制約も少なくなる。
【００６７】
また、上記した実施形態では、両レールのうち少なくとも一方のレールに備えられる取り付け部（３２）の少なくとも１つは、遊技盤（２）の裏面において折り曲げ可能な折り曲げ部を有し、折り曲げ部は、前記遊技盤（２）の裏面において折り曲げられて、他方のレールの取り付け部（３２）に接触する。
【００６８】
これによれば、外側レール及び内側レールを遊技盤に固定するために、もともと備わっている導電性の取り付けピンを、遊技盤の裏面において所定の方向に折り曲げることによって、外側レールの取り付けピンと内側レールの取り付けピンが互いに接触する。この結果として、外側レールと内側レールが電気的に接続されるので、別途接続用の部材を要することなく、また、製造工程を追加することなく、簡便な施工により外側レールと内側レールを電気的に接続することが可能となる。なお、外側レールの取り付けピンと内側レールの取り付けピンの両方が互いに折り曲げられて接触する場合には、それぞれの取り付けピンの長さは、片方の取り付けピンだけが折り曲げられるときよりも短く設計することが可能となる。
【００６９】
また、上記した実施形態では、外側レール（２１）の取り付け部（３２）の１つの取り付け位置と内側レール（２２）の取り付け部（３２）の１つの取り付け位置とは、両取り付け位置の間隔が、両レールによって区画される案内通路（４）の幅に略一致するように、配置されている。
【００７０】
これによれば、外側レール及び内側レールに備わっている導電性の取り付けピンの位置が、略最短距離に配置されている。すなわち、取り付けピンを単に折り曲げるだけで他方のレールの取り付けピンと接触するように取り付けピンの取り付け位置が調整されている。したがって、製造工程を追加することなく、簡便な施工により取り付けピン同士を接触させることができ、外側レールと内側レールを電気的に接続することができる。
【００７１】
また、上記した実施形態では、両レールのうち一方のレールの折り曲げ部の長さは、他方のレールの取り付け部（３２）の１つに接触可能な長さである。
【００７２】
これによれば、１対の外側レールの取り付けピンと内側レールの取り付けピンの間の距離が短くなるように取り付けピンの取り付け位置の調整をすることなく、一方のレールの予め長く設計された取り付けピンの１つを他方のレールの取り付けピンの１つと接触させることが可能となる。
【００７３】
また、上記した実施形態では、遊技盤（２）の裏面に、固定部（４１）と接触部（４２）からなる導電性の接続部材（４０）が固定され、接触部（４２）は、外側レール（２１）の取り付け部（３２）と、内側レール（２２）の取り付け部（３２）と接触する。
【００７４】
これによれば、外側レール２１と内側レール２２を電気的に接続するために、取り付けピンを折り曲げる必要や、はんだ付けやかしめ等の作業負荷のかかる工程を経ることがない。したがって、簡便な方法により、外側レール２１と内側レール２２を電気的に接続することが可能となる。
【００７５】
以上、本発明を実施形態を用いて詳細に説明してきたが、以上の説明はあらゆる点において本発明の例示にすぎず、その範囲を限定しようとするものではない。本発明の範囲を逸脱することなく種々の改良や変形を行うことができることは言うまでもない。
【００７６】
また、本明細書において使用される用語は、特に言及しない限り、当該分野で通常用いられる意味で用いられることが理解されるべきである。したがって、他に定義されない限り、本明細書中で使用される全ての専門用語及び技術用語は、本発明の属する分野の当業者によって一般的に理解されるのと同じ意味を有する。矛盾する場合、本明細書（定義も含めて）が優先する。
【符号の説明】
【００７７】
１    パチンコ遊技機
２    遊技盤
２０    遊技領域
２１    外側レール
２２    内側レール
３２    取り付けピン
３４    アース線
４０    接続部材
４１    固定部
４２    接触部
【図１】
0005174935.tif 000002
【図２】
0005174935.tif 000003
【図３】
0005174935.tif 000004
【図４】
0005174935.tif 000005
【図５】
0005174935.tif 000006
【図６】
0005174935.tif 000007
【図７】
0005174935.tif 000008
【図８】
0005174935.tif 000009
【図９】
0005174935.tif 000010
【図１０】
0005174935.tif 000011
【図１１】
0005174935.tif 000012
【図１２】
0005174935.tif 000013
【図１３】
0005174935.tif 000014
【図１４】
0005174935.tif 000015